(57)【要約】【課題】資料の画像が閉じられた場合に、資料画像の表示を容易に再開することが可能な通信装置、通信システム、通信制御方法、および通信制御プログラムを提供する。【解決手段】資料画像を送信している通信装置である資料送信装置と、自装置との間の通信が切断されたことによって、資料画像が閉じられた場合に（Ｓ３０１：ＹＥＳ）、第一アイコンが作成される（Ｓ３０３）。資料送信装置が資料画像データの送信を停止したことによって、資料画像が閉じられた場合に（Ｓ３０５：ＹＥＳ）、第二アイコンが作成される（Ｓ３０７）。自装置を操作するユーザの指示に従って資料画像を閉じた場合に（Ｓ３０９：ＹＥＳ）、第三アイコンが作成される（Ｓ３１１）。ユーザによって、第一〜第三アイコンが選択されると、自動で、資料画像のディスプレイへの表示が再開される。【選択図】図８
2012053642.tif 000002
【特許請求の範囲】
【請求項１】
複数の通信装置の間で共通の資料画像のデータである資料画像データを送受信し、前記資料画像データに基づく前記資料画像を表示画面に表示させることが可能な通信装置であって、
前記資料画像データを送信する自装置とは異なる前記通信装置である資料送信装置から送信される前記資料画像データに基づく前記資料画像が閉じられた場合に、前記資料画像の表示を再開することについてのユーザによる指示を受け付けるために前記表示画面に表示される表示物である再開指示物を作成する再開表示物作成手段と、
前記再開表示物作成手段によって作成された前記再開表示物がユーザによって選択された場合に、前記資料画像の前記表示画面への表示を再開する表示再開手段と
を備えたことを特徴とする通信装置。
【請求項２】
前記資料画像が閉じられた原因を特定する原因特定手段を備え、
前記表示再開手段は、前記再開表示物作成手段によって作成された前記再開表示物がユーザによって選択された場合に、前記原因特定手段によって特定された前記原因に基づいて所定の処理を行い、前記資料画像の前記表示画面への表示を再開することを特徴とする請求項１に記載の通信装置。
【請求項３】
前記原因特定手段は、一度特定した前記原因が、他の前記原因に変化した場合に、変化後の前記原因を特定し、
前記表示再開手段は、前記再開表示物作成手段によって作成された前記再開表示物がユーザによって選択された場合に、変化後の前記原因に基づいて所定の処理を行い、前記資料画像の前記表示画面への表示を再開することを特徴とする請求項２に記載の通信装置。
【請求項４】
前記表示再開手段は、前記再開表示物作成手段によって作成された前記再開表示物がユーザによって選択された場合、且つ、前記原因特定手段によって特定された前記原因が、前記資料送信装置と自装置との間の通信が切断されたことである場合に、前記資料送信装置と自装置との間の通信を再開し、前記資料送信装置から送信される前記資料画像データに基づく前記資料画像の前記表示画面への表示を再開することを特徴とする請求項２または３に記載の通信装置。
【請求項５】
前記表示再開手段は、前記再開表示物作成手段によって作成された前記再開表示物がユーザによって選択された場合、且つ、前記原因特定手段によって特定された前記原因が、前記資料送信装置による前記資料画像データの送信が停止されたことである場合に、前記資料送信装置に前記資料画像データを送信するように要求し、要求に応じて前記資料送信装置から送信された前記資料画像データに基づいて、前記資料画像の前記表示画面への表示を再開することを特徴とする請求項２から４のいずれかに記載の通信装置。
【請求項６】
前記表示再開手段は、前記再開表示物作成手段によって作成された前記再開表示物がユーザによって選択された場合、且つ、前記原因特定手段によって特定された前記原因が、自装置を操作するユーザの指示に従って前記資料画像の表示を閉じたことである場合に、前記資料送信装置から送信されている前記資料画像データに基づく前記資料画像を前記表示画面に表示することで、前記資料画像の前記表示画面への表示を再開することを特徴とする請求項２から４のいずれかに記載の通信装置。
【請求項７】
前記資料送信装置と自装置との間における、通信に使用している通信帯域である通信使用帯域を検出する帯域検出手段と、
前記帯域検出手段によって検出された前記通信使用帯域が、所定の閾値以上であるか否かを判断する帯域判断手段と、
前記帯域判断手段によって、前記帯域検出手段によって検出された前記通信使用帯域が、所定の閾値以上であると判断された場合に、前記資料画像データの所定のパラメータの値を変更することについてのユーザによる指示を受け付けるために前記表示画面に表示される表示物である第一パラメータ表示物を作成する第一パラメータ表示物作成手段と、
前記第一パラメータ表示物作成手段によって作成された前記第一パラメータ表示物がユーザによって選択された場合に、前記資料画像データのデータ量が少なくなるように前記パラメータの値を変更する指示を、前記資料送信装置に対して送信する第一指示手段と、
前記第一指示手段による指示に応じて前記資料送信装置から送信される前記資料画像データに基づく前記資料画像を、前記表示画面に表示する第一表示制御手段と
を備えたことを特徴とする請求項１から６のいずれかに記載の通信装置。
【請求項８】
自装置におけるＣＰＵの処理の負荷量を検出する負荷量検出手段と、
前記負荷量検出手段によって検出された前記ＣＰＵの処理の前記負荷量が、所定の閾値以上であるか否かを判断する負荷量判断手段と、
前記負荷量判断手段によって、前記負荷量検出手段によって検出された前記ＣＰＵの処理の前記負荷量が、所定の閾値以上であると判断された場合に、前記資料画像データの所定のパラメータの値を変更することについてのユーザによる指示を受け付けるために前記表示画面に表示される表示物である第二パラメータ表示物を作成する第二パラメータ表示物作成手段と、
前記第二パラメータ表示物作成手段によって作成された前記第二パラメータ表示物がユーザによって選択された場合に、前記資料画像データのデータ量が少なくなるように前記パラメータの値を変更する指示を、前記資料送信装置に対して送信する第二指示手段と、
前記第二指示手段による指示に応じて前記資料送信装置から送信される前記資料画像データに基づく前記資料画像を、前記表示画面に表示する第二表示制御手段と
を備えたことを特徴とする請求項１から７のいずれかに記載の通信装置。
【請求項９】
前記資料送信装置から送信された前記資料画像データに基づく前記資料画像のファイル名を受信するファイル名受信手段と、
前記ファイル名受信手段によって受信された前記ファイル名を記憶手段に記憶させる記憶制御手段と
を備えたことを特徴とする請求項１から８のいずれかに記載の通信装置。
【請求項１０】
前記パラメータは、フレームレート、解像度、および表示サイズのうちの少なくとも１であることを特徴とする請求項７または８に記載の通信装置。
【請求項１１】
複数の通信装置の間で共通の資料画像のデータである資料画像データを送受信し、前記資料画像データに基づく前記資料画像を表示画面に表示させることが可能な通信システムであって、
前記通信装置は、
前記資料画像データを送信する自装置とは異なる前記通信装置である資料送信装置から送信される前記資料画像データに基づく前記資料画像が閉じられた場合に、前記資料画像の表示を再開することについてのユーザによる指示を受け付けるために前記表示画面に表示される表示物である再開表示物を作成する再開表示物作成手段と、
前記再開表示物作成手段によって作成された前記再開表示物がユーザによって選択された場合に、前記資料画像の前記表示画面への表示を再開する表示再開手段と
を備えたことを特徴とする通信システム。
【請求項１２】
複数の通信装置の間で共通の資料画像のデータである資料画像データを送受信し、前記資料画像データに基づく前記資料画像を表示画面に表示させることが可能な通信装置において行われる通信制御方法であって、
前記資料画像データを送信する自装置とは異なる前記通信装置である資料送信装置から送信される前記資料画像データに基づく前記資料画像が閉じられた場合に、前記資料画像の表示を再開することについてのユーザによる指示を受け付けるために前記表示画面に表示される表示物である再開表示物を作成する再開表示物作成ステップと、
前記再開表示物作成ステップによって作成された前記再開表示物がユーザによって選択された場合に、前記資料画像の前記表示画面への表示を再開する表示再開ステップと
を備えたことを特徴とする通信制御方法。
【請求項１３】
複数の通信装置の間で共通の資料画像のデータである資料画像データを送受信し、前記資料画像データに基づく前記資料画像を表示画面に表示させることが可能な通信装置において実行される通信制御プログラムであって、
前記通信装置のＣＰＵに、
前記資料画像データを送信する自装置とは異なる前記通信装置である資料送信装置から送信される前記資料画像データに基づく前記資料画像が閉じられた場合に、前記資料画像の表示を再開することについてのユーザによる指示を受け付けるために前記表示画面に表示される表示物である再開表示物を作成する再開表示物作成ステップと、
前記再開表示物作成ステップによって作成された前記再開表示物がユーザによって選択された場合に、前記資料画像の前記表示画面への表示を再開する表示再開ステップと
を実行させることを特徴とする通信制御プログラム。
【発明の詳細な説明】
【技術分野】
【０００１】
本発明は、資料の画像を表示することが可能な通信装置、通信システム、通信制御方法、および通信制御プログラムに関する。
【背景技術】
【０００２】
従来、それぞれ離れた拠点に設置された複数の通信装置の間で、同一の資料の画像を共有して表示し、資料を参照しながら会議等を行う通信装置が知られている。例えば、特許文献１に記載の電子会議用画像情報伝送装置では、プレゼンテーションに必要な資料の画像情報やファイル名等を、資料の送信元の装置から、資料の送信先の装置に対して送信する。送信先の装置は、送信された資料の画像情報やファイル名等を受信して記憶する。送信元の装置ユーザが、プレゼンテーションしたい画像をクリックすることで、ファイル名等の識別子が送信先の装置に送信され、送信先の装置において受信される。送信先の装置は、記憶している資料の画像情報の中から、受信したファイル名等の識別子に該当する画像情報を抽出して、表示装置に表示する。これによって、送信元の装置と送信先の装置とで、同じ画像が表示される。
【先行技術文献】
【特許文献】
【０００３】
【特許文献１】特許第３８２７６２１号公報
【発明の概要】
【発明が解決しようとする課題】
【０００４】
しかしながら、従来の通信装置では、資料の送信先の通信装置における資料の画像が何らか原因によって閉じられた場合において、送信先の通信装置のユーザが、資料の画像の表示を再開したい場合、例えば、送信元のユーザに対して、資料の画像のデータやファイル名等を再度送信してもらうように口頭で依頼するなどの措置をとる必要があった。このため、資料の画像の表示を再開する場合に手間がかかるという問題点があった。
【０００５】
本発明は、資料の画像が閉じられた場合に、資料画像の表示を容易に再開することが可能な通信装置、通信システム、通信制御方法、および通信制御プログラムを提供することである。
【課題を解決するための手段】
【０００６】
本発明の第１の態様に係る通信装置は、複数の通信装置の間で共通の資料画像のデータである資料画像データを送受信し、前記資料画像データに基づく前記資料画像を表示画面に表示させることが可能な通信装置であって、前記資料画像データを送信する自装置とは異なる前記通信装置である資料送信装置から送信される前記資料画像データに基づく前記資料画像が閉じられた場合に、前記資料画像の表示を再開することについてのユーザによる指示を受け付けるために前記表示画面に表示される表示物である再開表示物を作成する再開表示物作成手段と、前記再開表示物作成手段によって作成された前記再開表示物がユーザによって選択された場合に、前記資料画像の前記表示画面への表示を再開する表示再開手段とを備えている。この場合、資料が閉じられた場合に自動で再開表示物が作成される。そして、ユーザによって再開表示物が選択された場合に、資料画像の表示画面への表示を再開する。このため、ユーザは、再開表示物を選択するだけで、容易に、資料画像の表示画面への表示を再開することができる。
【０００７】
前記通信装置は、前記資料画像が閉じられた原因を特定する原因特定手段を備え、前記表示再開手段は、前記再開表示物作成手段によって作成された前記再開表示物がユーザによって選択された場合に、前記原因特定手段によって特定された前記原因に基づいて所定の処理を行い、前記資料画像の前記表示画面への表示を再開してもよい。この場合、ユーザが再開表示物を選択すれば、原因特定手段によって特定された原因に基づいて処理が行われ、自動で資料画像の表示画面への表示が再開される。このため、ユーザは、資料画像が閉じられた原因を特定して、適切な処理を指示する必要がない。よって、ユーザの利便性が向上する。
【０００８】
前記通信装置において、前記原因特定手段は、一度特定した前記原因が、他の前記原因に変化した場合に、変化後の前記原因を特定し、前記表示再開手段は、前記再開表示物作成手段によって作成された前記再開表示物がユーザによって選択された場合に、変化後の前記原因に基づいて所定の処理を行い、前記資料画像の前記表示画面への表示を再開してもよい。この場合、原因が変化した場合でも、ユーザが再開表示物を選択すれば、原因特定手段によって特定された原因に基づいて処理が行われ、自動で資料画像の表示画面への表示が再開される。このため、ユーザは、資料画像が閉じられた原因を特定して、適切な処理を指示する必要がない。よって、ユーザの利便性が向上する。
【０００９】
前記通信装置において、前記表示再開手段は、前記再開表示物作成手段によって作成された前記再開表示物がユーザによって選択された場合、且つ、前記原因特定手段によって特定された前記原因が、前記資料送信装置と自装置との間の通信が切断されたことである場合に、前記資料送信装置と自装置との間の通信を再開し、前記資料送信装置から送信される前記資料画像データに基づく前記資料画像の前記表示画面への表示を再開してもよい。この場合、資料画像が閉じられた原因が、資料送信装置と自装置との間の通信が切断されたことである場合に、ユーザが再開表示物を選択すれば、自動で通信を再開して資料画像の表示画面への表示を再開する。このため、ユーザの利便性が向上する。
【００１０】
前記通信装置において、前記表示再開手段は、前記再開表示物作成手段によって作成された前記再開表示物がユーザによって選択された場合、且つ、前記原因特定手段によって特定された前記原因が、前記資料送信装置による前記資料画像データの送信が停止されたことである場合に、前記資料送信装置に前記資料画像データを送信するように要求し、要求に応じて前記資料送信装置から送信された前記資料画像データに基づいて、前記資料画像の前記表示画面への表示を再開してもよい。この場合、資料画像が閉じられた原因が、資料画像データの送信が停止されたことである場合に、ユーザが再開表示物を選択すれば、自動で資料送信装置に資料画像を送信するように要求し、要求に応じて送信された資料画像データに基づく資料画像を表示することができる。このため、ユーザの利便性が向上する。
【００１１】
前記通信装置において、前記表示再開手段は、前記再開表示物作成手段によって作成された前記再開表示物がユーザによって選択された場合、且つ、前記原因特定手段によって特定された前記原因が、自装置を操作するユーザの指示に従って前記資料画像の表示を閉じたことである場合に、前記資料送信装置から送信されている前記資料画像データに基づく前記資料画像を前記表示画面に表示することで、前記資料画像の前記表示画面への表示を再開してもよい。この場合、資料画像が閉じられた原因が、自装置を操作するユーザの指示に従って前記資料画像の表示を閉じたことである場合に、ユーザが再開表示物を選択すれば、自動で、資料送信装置から送信されている資料画像データに基づく資料画像を表示することができる。このため、ユーザの利便性が向上する。
【００１２】
前記通信装置は、前記資料送信装置と自装置との間における、通信に使用している通信帯域である通信使用帯域を検出する帯域検出手段と、前記帯域検出手段によって検出された前記通信使用帯域が、所定の閾値以上であるか否かを判断する帯域判断手段と、前記帯域判断手段によって、前記帯域検出手段によって検出された前記通信使用帯域が、所定の閾値以上であると判断された場合に、前記資料画像データの所定のパラメータの値を変更することについてのユーザによる指示を受け付けるために前記表示画面に表示される表示物である第一パラメータ表示物を作成する第一パラメータ表示物作成手段と、前記第一パラメータ表示物作成手段によって作成された前記第一パラメータ表示物がユーザによって選択された場合に、前記資料画像データのデータ量が少なくなるように前記パラメータの値を変更する指示を、前記資料送信装置に対して送信する第一指示手段と、前記第一指示手段による指示に応じて前記資料送信装置から送信される前記資料画像データに基づく前記資料画像を、前記表示画面に表示する第一表示制御手段とを備えてもよい。この場合において、通信使用帯域が閾値以上である場合に、ユーザが第一パラメータ表示物を選択することによって、資料画像データのデータ量を減らすことができる。これによって、資料画像データの受信のために使用している通信帯域を低減することができる。このため、通信使用帯域が大きくなることによる資料画像の表示の乱れ等を防止することができる。
【００１３】
前記通信装置は、自装置におけるＣＰＵの処理の負荷量を検出する負荷量検出手段と、前記負荷量検出手段によって検出された前記ＣＰＵの処理の前記負荷量が、所定の閾値以上であるか否かを判断する負荷量判断手段と、前記負荷量判断手段によって、前記負荷量検出手段によって検出された前記ＣＰＵの処理の前記負荷量が、所定の閾値以上であると判断された場合に、前記資料画像データの所定のパラメータの値を変更することについてのユーザによる指示を受け付けるために前記表示画面に表示される表示物である第二パラメータ表示物を作成する第二パラメータ表示物作成手段と、前記第二パラメータ表示物作成手段によって作成された前記第二パラメータ表示物がユーザによって選択された場合に、前記資料画像データのデータ量が少なくなるように前記パラメータの値を変更する指示を、前記資料送信装置に対して送信する第二指示手段と、前記第二指示手段による指示に応じて前記資料送信装置から送信される前記資料画像データに基づく前記資料画像を、前記表示画面に表示する第二表示制御手段とを備えてもよい。この場合において、ＣＰＵの処理の負荷量が閾値以上である場合に、ユーザが第二パラメータ表示物を選択することによって、資料画像データのデータ量を減らすことができる。これによって、ＣＰＵの負荷を低減することができる。このため、ＣＰＵの処理の負荷量が大きいことによる資料画像の表示の乱れ等を防止することができる。
【００１４】
前記通信装置は、前記資料送信装置から送信された前記資料画像データに基づく前記資料画像のファイル名を受信するファイル名受信手段と、前記ファイル名受信手段によって受信された前記ファイル名を記憶手段に記憶させる記憶制御手段とを備えてもよい。この場合、資料画像のファイル名を受信して記憶することができる。このため、例えば、記憶手段に記憶されたファイル名を表示物に記載することができる。
【００１５】
前記通信装置において、前記パラメータは、フレームレート、解像度、および表示サイズのうちの少なくとも１であってもよい。この場合、フレームレート、解像度、および表示サイズのうちの少なくとも１を変更することで、データ量を減らすことができる。
【００１６】
本発明の第２の態様に係る通信システムは、複数の通信装置の間で共通の資料画像のデータである資料画像データを送受信し、前記資料画像データに基づく前記資料画像を表示画面に表示させることが可能な通信システムであって、前記通信装置は、前記資料画像データを送信する自装置とは異なる前記通信装置である資料送信装置から送信される前記資料画像データに基づく前記資料画像が閉じられた場合に、前記資料画像の表示を再開することについてのユーザによる指示を受け付けるために前記表示画面に表示される表示物である再開表示物を作成する再開表示物作成手段と、前記再開表示物作成手段によって作成された前記再開表示物がユーザによって選択された場合に、前記資料画像の前記表示画面への表示を再開する表示再開手段とを備えている。この場合、資料が閉じられた場合に自動で再開表示物が作成される。そして、ユーザによって再開表示物が選択された場合に、資料画像の表示画面への表示を再開する。このため、ユーザは、再開表示物を選択するだけで、容易に、資料画像の表示画面への表示を再開することができる。
【００１７】
本発明の第３の態様に係る通信制御方法は、複数の通信装置の間で共通の資料画像のデータである資料画像データを送受信し、前記資料画像データに基づく前記資料画像を表示画面に表示させることが可能な通信装置において行われる通信制御方法であって、前記資料画像データを送信する自装置とは異なる前記通信装置である資料送信装置から送信される前記資料画像データに基づく前記資料画像が閉じられた場合に、前記資料画像の表示を再開することについてのユーザによる指示を受け付けるために前記表示画面に表示される表示物である再開表示物を作成する再開表示物作成ステップと、前記再開表示物作成ステップによって作成された前記再開表示物がユーザによって選択された場合に、前記資料画像の前記表示画面への表示を再開する表示再開ステップとを備えている。この場合、資料が閉じられた場合に自動で再開表示物が作成される。そして、ユーザによって再開表示物が選択された場合に、資料画像の表示画面への表示を再開する。このため、ユーザは、再開表示物を選択するだけで、容易に、資料画像の表示画面への表示を再開することができる。
【００１８】
本発明の第４の態様に係る通信制御プログラムは、複数の通信装置の間で共通の資料画像のデータである資料画像データを送受信し、前記資料画像データに基づく前記資料画像を表示画面に表示させることが可能な通信装置において実行される通信制御プログラムであって、前記通信装置のＣＰＵに、前記資料画像データを送信する自装置とは異なる前記通信装置である資料送信装置から送信される前記資料画像データに基づく前記資料画像が閉じられた場合に、前記資料画像の表示を再開することについてのユーザによる指示を受け付けるために前記表示画面に表示される表示物である再開表示物を作成する再開表示物作成ステップと、前記再開表示物作成ステップによって作成された前記再開表示物がユーザによって選択された場合に、前記資料画像の前記表示画面への表示を再開する表示再開ステップとを実行させる。この場合、資料が閉じられた場合に自動で再開表示物が作成される。そして、ユーザによって再開表示物が選択された場合に、資料画像の表示画面への表示を再開する。このため、ユーザは、再開表示物を選択するだけで、容易に、資料画像の表示画面への表示を再開することができる。
【図面の簡単な説明】
【００１９】
【図１】テレビ会議システム１の構成を示すブロック図である。
【図２】通信装置３の電気的構成を示すブロック図である。
【図３】ＨＤＤ３１４の記憶領域を示す概念図である。
【図４】ＲＡＭ３１３の記憶領域を示す概念図である。
【図５】ディスプレイ３１９に表示される画像の一例を示す図である。
【図６】第一メイン処理を示すフローチャートである。
【図７】画像音声処理を示すフローチャートである。
【図８】アイコン作成処理を示すフローチャートである。
【図９】ディスプレイ３１９に表示される画像の一例を示す図である。
【図１０】ディスプレイ３１９に表示される画像の一例を示す図である。
【図１１】第四アイコン作成処理を示すフローチャートである。
【図１２】ディスプレイ３１９に表示される画像の一例を示す図である。
【図１３】アイコン実行処理を示すフローチャートである。
【図１４】第四アイコン実行処理を示すフローチャートである。
【図１５】第二メイン処理を示すフローチャートである。
【図１６】第四アイコン作成処理の変形例を示すフローチャートである。
【図１７】第四アイコン実行処理の変形例を示すフローチャートである。
【発明を実施するための形態】
【００２０】
以下、本発明に係る通信装置３，４，５およびテレビ会議システム１の一実施の形態について、図面を参照して説明する。なおこれらの図面は、本発明が採用しうる技術的特徴を説明するために用いられるものであり、記載されている装置の構成、各種処理のフローチャートなどは、それのみに限定する趣旨ではなく、単なる説明例である。
【００２１】
図１を参照し、第一実施形態における通信装置３，４，５を構成要素とするテレビ会議システム１の構成について説明する。テレビ会議システム１は、ネットワーク２と通信装置３と通信装置４と通信装置５とを備えている。通信装置３，４，５は、ネットワーク２を介して相互に接続されている。テレビ会議システム１では、通信装置３，４，５の間において、ネットワーク２を介して画像のデータや音声のデータ等が互いに送受信されることでテレビ会議が実施される。なお、図１において、通信装置３，４，５の３台がネットワーク２に接続されているが、台数は限定されず、例えば１０台がネットワーク２に接続されていてもよい。以後の説明では、通信装置３，４，５のいずれかを特定しない場合には、単に「通信装置」という。
【００２２】
通信装置３，４，５は、同一の電気的構成をしており、同一のプログラムが設定されている。通信装置４を使用しているユーザは、資料を用いて説明を行っている。通信装置４は、資料のデータを通信装置３，５に対して送信している。以後の説明では、資料を用いて説明を行っているユーザが操作する通信装置を通信装置４または資料送信装置という。
【００２３】
通信装置３，４，５の電気的構成について、図２を参照して説明する。なお、通信装置３，４，５の電気的構成は同一であるので、ここでは、通信装置３の電気的構成について説明する。
【００２４】
通信装置３は、ノート型のパーソナルコンピュータ３１（以下、ＰＣ３１という）と、入出力装置３４（以下、ＩＯ装置３４という。）とを備えている。ユーザは、ＰＣ３１とＩＯ装置３４とを使用して、通信装置４，５を使用するユーザとテレビ会議を行うことができる。ＩＯ装置３４は、画像を撮影して符号化したり、テレビ会議の音声データを復号して再生したりすることができる。ＰＣ３１は、ネットワーク２に接続して、通信装置４，５と各種のデータの通信を行うことができる。
【００２５】
ＰＣ３１の電気的構成の詳細について説明する。ＰＣ３１は、ＰＣ３１の制御を司るコントローラとしてのＣＰＵ８を備えている。ＣＰＵ８には、ＢＩＯＳ等を記憶したＲＯＭ３１２と、各種データを一時的に記憶するＲＡＭ３１３と、各種記憶エリアを有するハードディスクドライブ３１４（以下、ＨＤＤ３１４という。）が接続されている。ＣＰＵ８は、ＲＯＭ３１２、ＲＡＭ３１３、およびＨＤＤ３１４の各種記憶領域にアクセスできる。
【００２６】
ＣＰＵ８には、ネットワーク２と通信するための通信インターフェイス３１５（以下、通信Ｉ／Ｆ３１５という。）と、マウスやキーボードやディスプレイ３１９の前面に設置されるタッチパネルなどの入力部３１６と、ＣＤ−ＲＯＭドライブ３１７とが各々接続されている。ユーザは、入力部３１６を操作して、ディスプレイ３１９に表示されるポインタを操作したり、種々の入力を行ったりすることができる。ＣＤ−ＲＯＭドライブ３１７に挿入されるＣＤ−ＲＯＭ３１８には、例えば、本実施形態における各種のプログラム等が記憶されている。ＣＤ−ＲＯＭ３１８の導入時には、各種プログラム等が、ＣＤ−ＲＯＭ３１８からＨＤＤ３１４にセットアップされて、後述するプログラム記憶領域３１４１に記憶される。
【００２７】
ＣＰＵ８には、ディスプレイ３１９に接続される映像デコーダ３２０が接続されている。本実施形態では、ディスプレイ３１９は、ＰＣ３１に外付けされている。映像デコーダ３２０は、通信装置４，５から送信される拠点画像データや資料画像データ等を復号し、ディスプレイ３１９に表示する。資料画像データは、資料画像３１９１（後述）を表示するためのデータである。また、映像デコーダ３２０は、各通信装置３，４，５のユーザが操作するポインタをディスプレイ３１９に表示する。
【００２８】
ＣＰＵ８には、電源制御部３２２が接続されている。電源制御部３２２は、ＰＣ３１に内蔵された電池３２１に接続されている。電源制御部３２２は、電池３２１から供給された電力を各種回路に供給する。ＣＰＵ８やその他の各種デバイスは、電源制御部３２２を介して電池３２１によって供給される電力によって駆動する。なお、電源制御部３２２は、ＡＣアダプタ３２３と接続されることによって、電池３２１を充電することが可能である。
【００２９】
ＣＰＵ８には、時間を計測するためのタイマ３２４が接続されている。ＣＰＵ８は、タイマ３２４を使用して時間を計測することができる。ＣＰＵ８には、ＵＳＢ（Ｕｎｉｖｅｒｓａｌ  Ｓｅｒｉａｌ  Ｂｕｓ）インターフェイス３２５（以下、ＵＳＢ−Ｉ／Ｆ３２５という。）が接続されている。ＵＳＢ−Ｉ／Ｆ３２５は、ＵＳＢケーブル３２６を介して、後述するＩＯ装置３４のＵＳＢ−Ｉ／Ｆ３５１に接続されている。ＣＰＵ８は、ＵＳＢ−Ｉ／Ｆ３２５、ＵＳＢケーブル３２６、およびＵＳＢ−Ｉ／Ｆ３５１を介して、ＩＯ装置３４のＣＰＵ９と相互に通信を行うことができる。
【００３０】
図３を参照して、ＨＤＤ３１４の各種記憶領域について説明する。ＨＤＤ３１４には、プログラム記憶領域３１４１が少なくとも設けられている。プログラム記憶領域３１４１には、ＣＰＵ８が各種の処理等を実行するために必要なプログラムデータが記憶されている。
【００３１】
図４を参照して、ＲＡＭ３１３の各種記憶領域について説明する。ＲＡＭ３１３は、ファイル名記憶領域３１３１およびアイコン種類記憶領域３１３２が少なくとも設けられている。ファイル名記憶領域３１３１には、資料送信装置４から送信される資料画像データに含まれるファイル名のデータが記憶される。アイコン種類記憶領域３１３２には、ディスプレイ３１９に表示される第一〜第四アイコン６０（後述）に対応するデータであるアイコン種類データが記憶される。例えば、第一アイコン６０がディスプレイ３１９に表示される場合には、ディスプレイ３１９に表示されているアイコン６０が第一アイコン６０であることを示すアイコン種類データが、アイコン種類記憶領域３１３２に記憶される。
【００３２】
図２を参照して、ＩＯ装置３４の電気的構成の詳細について説明する。ＩＯ装置３４は、ＩＯ装置３４の制御を司るコントローラとしてのＣＰＵ９を備えている。ＣＰＵ９には、ＢＩＯＳ等を記憶したＲＯＭ３４２と、各種データを一時的に記憶するＲＡＭ３４３とが接続されている。ＣＰＵ９は、ＲＯＭ３４２とＲＡＭ３４３の各種記憶領域にアクセスできる。
【００３３】
ＣＰＵ９には、カメラ３４４に接続された映像エンコーダ３４５が接続されている。ＣＰＵ９は、映像エンコーダ３４５を使用して、カメラ３４４によって撮像される画像を符号化し、拠点画像データを作成する。拠点画像データは、通信装置３が設置された拠点をカメラ３４４で撮像した画像のデータである。拠点画像データは、ＣＰＵ９からＣＰＵ８に送信され、通信Ｉ／Ｆ３１５とネットワーク２を介して、通信装置４，５に送信される。
【００３４】
ＣＰＵ９には、音声エンコーダ３４６が接続されている。音声エンコーダ３４６は、エコーキャンセラ３４７を介してマイク３４８に接続されている。ＣＰＵ９には、音声デコーダ３４９が接続されている。音声デコーダ３４９は、エコーキャンセラ３４７を介してスピーカ３５０に接続されている。エコーキャンセラ３４７は、エコーやハウリングの発生を防止する回路である。マイク３４８は、テレビ会議を行う際に通信装置３のユーザの声を収集するために設けられている。マイク３４８から入力された音声は、音声エンコーダ３４６によって符号化される。そして、ＣＰＵ９からＰＣ３１のＣＰＵ８に送信され、通信Ｉ／Ｆ３１５とネットワーク２とを介して、通信装置４，５に送信される。
【００３５】
スピーカ３５０は、会議の音声を出力するために設けられている。ネットワーク２と通信Ｉ／Ｆ３１５とを介して入力された通信装置４，５から送信される音声データは、ＣＰＵ８からＣＰＵ９に送信され、音声デコーダ３４９で復号され、スピーカ３５０で音声として出力される。これによって通信装置３のユーザはテレビ会議の音声を聞くことができる。
【００３６】
ＣＰＵ９には、ＵＳＢ−Ｉ／Ｆ３５１が接続されている。ＵＳＢ−Ｉ／Ｆ３５１は、ＵＳＢケーブル３２６を介して、ＰＣ３１のＵＳＢ−Ｉ／Ｆ３２５に接続されている。ＣＰＵ９には、電源制御部３５３が接続されている。電源制御部３５３は、ＡＣアダプタ３５４に接続されている。電源制御部３５３は、ＡＣアダプタ３５４から供給される外部電源の電力を各種回路に供給する。ＣＰＵ９やその他の各種デバイスは、電源制御部３５３から供給される電力によって駆動する。
【００３７】
図５を参照して、テレビ会議が行われる場合における、ディスプレイ３１９に表示される画像の一例について説明する。ここでは、通信装置３のディスプレイ３１９に表示される画像について説明する。ディスプレイ３１９の左右方向（図５の紙面の左右方向）における左端と中央との間には、自装置とは異なる通信装置４の拠点画像３１９２と、通信装置５の拠点画像３１９２とが表示されている。拠点画像３１９２，３１９３は、通信装置４，５のカメラ３４４（図２参照）によって撮影された画像である。拠点画像３１９２，３１９３は、後述するＳ２１３の処理において表示される。ディスプレイ３１９における拠点画像３１９２，３１９３が表示されているエリアの右側には、資料画像３１９１が表示されている。資料画像３１９１は、資料送信装置である通信装置４から、通信装置３，５に送信されている。通信装置３のユーザは、資料画像３１９１や、拠点画像３１９２，３１９３を確認しながら、テレビ会議を行うことができる。
【００３８】
なお、通信装置３，４，５では、互いに、ポインタの座標データが送受信され、座標データに基づいて、ディスプレイ３１９に通信装置３，４，５のユーザが操作するポインタが表示されるが、図示を省略している。また、ディスプレイ３１９には、後述するＳ３０３等（図８参照）の処理において、アイコン６０が作成されるが、詳細については、後述する。
【００３９】
次に、テレビ会議システム１による処理の一例について説明する。なお、以下で説明する各処理は、全ての通信装置３，４，５において行われる処理であるが、説明をわかりやすくするために、各処理において、通信装置３，４，５のうちのいずれか一の通信装置が行う処理として説明する。
【００４０】
まず、図６に示すフローチャートを参照して、第一メイン処理について説明する。ここでは、通信装置３におけるＰＣ３１のＣＰＵ８による第一メイン処理について説明する。
【００４１】
第一メイン処理では、まず、自装置とは異なる通信装置４，５とネットワーク２を介して接続されたか否かが判断される（Ｓ１０１）。接続されていない場合には（Ｓ１０１：ＮＯ）、入力部３１６を介して、ユーザによって電源オフの指示が入力されたか否かが判断される（Ｓ１０８）。電源オフの指示が入力されていない場合には（Ｓ１０８：ＮＯ）、Ｓ１０１に戻り処理が繰り返される。Ｓ１０１の処理において、自装置とは異なる通信装置４，５と接続された場合には（Ｓ１０１：ＹＥＳ）、画像音声処理（図７参照）が開始される（Ｓ１０２）。
【００４２】
ここで、画像音声処理について説明する。画像音声処理は、資料画像データ、拠点画像データ、および音声データを送受信し、ディスプレイ３１９に表示したり、スピーカ３５０から出力したりする処理である。
【００４３】
図７に示すように画像音声処理では、まず、自装置が資料送信装置であるか否かが判断される（Ｓ２０１）。資料送信装置でない場合には（Ｓ２０１：ＮＯ）、後述するＳ２０４の処理が行われる。なお、通信装置３は、資料送信装置ではないので、常に資料送信装置ではないと判断される。
【００４４】
また、資料送信装置である通信装置４のＣＰＵ８がＳ２０１の処理を行う場合には、資料送信装置であると判断され（Ｓ２０１：ＹＥＳ）、資料画像データを自装置とは異なる通信装置３，５に送信するか否かが判断される（Ｓ２０２）。なお、資料画像データは、所定のフレームレート（例えば、１５ｆｐｓ）で、送信される。このため、Ｓ２０２の処理では、所定のフレームレートに対応する時間毎に、資料画像データを送信すると判断され（Ｓ２０２：ＹＥＳ）、ディスプレイ３１９に表示されている資料画像３１９１から、資料画像データが作成されて、自装置とは異なる通信装置３，５に送信される（Ｓ２０３）。なお、Ｓ２０３の処理において作成される資料画像データには、資料画像３１９１のファイル名を示すデータも含まれている。例示として、本実施形態の場合におけるファイル名は「ＡＢＣ」であるとする。資料画像データを送信しない場合には（Ｓ２０２：ＮＯ）、Ｓ２０４の処理が行われる。
【００４５】
以下、通信装置３のＣＰＵ８による処理として説明する。Ｓ２０４の処理では、拠点画像データを自装置とは異なる通信装置４，５に送信するか否かが判断される（Ｓ２０４）。拠点画像データは、所定のフレームレート（例えば、１５ｆｐｓ）で送信される。このため、Ｓ２０４の処理では、所定のフレームレートに対応する時間毎に、拠点画像データを送信すると判断され（Ｓ２０４：ＹＥＳ）、カメラ３４４によって撮像された画像から、拠点画像データが作成されて、自装置とは異なる通信装置４，５に送信される（Ｓ２０５）。送信された拠点画像データは、通信装置４，５のＳ２１２の処理（後述）において受信され、Ｓ２１３の処理（後述）において通信装置４，５のディスプレイ３１９に表示される。次いで、Ｓ２０６の処理が行われる。なお、拠点画像データを送信しない場合にも（Ｓ２０４：ＮＯ）、Ｓ２０６の処理が行われる。
【００４６】
Ｓ２０６の処理では、音声データを自装置と異なる通信装置４，５に送信するか否かが判断される（Ｓ２０６）。音声データは、所定の時間毎（例えば、１秒間毎）に送信される。Ｓ２０６では、所定時間毎に、音声データを送信すると判断され（Ｓ２０６：ＹＥＳ）、マイク３４８から入力された音声から音声データが作成されて、自装置とは異なる通信装置４，５に送信される（Ｓ２０７）。次いで、Ｓ２０８の処理が行われる。なお、Ｓ２０６の処理において、音声データを送信しない場合にも（Ｓ２０６：ＮＯ）、Ｓ２０８の処理が行われる。
【００４７】
Ｓ２０８の処理では、資料画像３１９１をディスプレイ３１９に表示させるか否かが判断される。例えば、通信装置３のユーザが、資料画像３１９１を表示させるためのソフトウェアを立ち上げている場合など、資料画像３１９１をディスプレイ３１９に表示させるように設定していれば、資料画像３１９１を表示させると判断される（Ｓ２０８：ＹＥＳ）。また、例えば、通信装置３のユーザが、資料画像３１９１を表示させるためのソフトウェアを閉じた場合など、資料画像３１９１をディスプレイ３１９に表示させないように設定していれば、資料画像３１９１を表示させないと判断される（Ｓ２０８：ＮＯ）。
【００４８】
資料画像３１９１をディスプレイ３１９に表示させる場合には（Ｓ２０８：ＹＥＳ）、資料送信装置４のＳ２０３の処理において送信される、資料画像データが受信されたか否かが判断される（Ｓ２０９）。資料画像データが受信されていない場合には（Ｓ２０９：ＮＯ）、後述するＳ２１２の処理が行われる。資料画像データが受信された場合には（Ｓ２０９：ＹＥＳ）、受信された資料画像データが復号されて、ディスプレイ３１９に表示される（Ｓ２１０）。これによって、例えば、図５に示すように、資料画像３１９１がディスプレイ３１９に表示される。次いで、資料画像データに含まれる資料画像３１９１のファイル名がファイル名記憶領域３１３１に記憶される（Ｓ２１１）。
【００４９】
次いで、自装置とは異なる通信装置４，５のＳ２０５の処理において送信される拠点画像データが受信されたか否かが判断される（Ｓ２１２）。なお、Ｓ２０８の処理において、資料画像データをディスプレイ３１９に表示させないと判断された場合にも（Ｓ２０８：ＮＯ）、Ｓ２１２の処理が行われる。拠点画像データが受信されていない場合には（Ｓ２１２：ＮＯ）、後述するＳ２１４の処理が行われる。拠点画像データが受信された場合には（Ｓ２１２：ＹＥＳ）、受信された拠点画像データが復号されて、ディスプレイ３１９に表示される（Ｓ２１３）。これによって、例えば、図５に示すように、拠点画像３１９２，３１９３がディスプレイ３１９に表示される。
【００５０】
次いで、自装置とは異なる通信装置４，５のＳ２０７の処理において送信される、音声データが受信されたか否かが判断される（Ｓ２１４）。音声データが受信されていない場合には（Ｓ２１４：ＮＯ）、Ｓ２０１に戻り、処理が繰り返される。音声データが受信された場合には（Ｓ２１４：ＹＥＳ）、受信された音声データが復号されて、スピーカ３５０から出力される（Ｓ２１５）。次いで、Ｓ２０１に戻り処理が繰り返される。
【００５１】
図６の説明に戻る。Ｓ１０２の処理で画像音声処理が開始されると、次いで、アイコン作成処理が行われる（Ｓ１０３）。ここで、図８を参照して、アイコン作成処理について説明する。アイコン作成処理は、資料画像３１９１が閉じられた場合に、第一〜第三アイコン６０を作成したり、後述する第四アイコン作成処理を実行したりする処理である。第一〜第三アイコンは、資料画像３１９１を再開することについてのユーザによる指示を受け付けるために、ディスプレイ３１９に表示されるアイコンである。なお、以下の説明において、第一〜第四アイコン６０が作成されるが、すべて同じ符号を用いて、第一アイコン６０、第二アイコン６０、第三アイコン６０、および第四アイコン６０と記載する。また、第一〜第四アイコン６０のいずれかを特定しない場合には、アイコン６０という。また、第一〜第四アイコン６０は、同一の外観であるとする。
【００５２】
図８に示すアイコン作成処理では、資料送信装置である通信装置４と自装置である通信装置３との間の通信が切断されたか否かが判断される（Ｓ３０１）。通信が切断された場合には、資料画像データを受信できないため、資料画像３１９１は、ディスプレイ３１９に表示されない。つまり、Ｓ３０１の処理では、資料画像３１９１が閉じられた原因が、通信が切断されたことであるか否かが判断されている。なお、通信が切断される要因としては、例えば、テレビ会議用以外のアプリケーションを多く起動したために、ＣＰＵ８の負荷が大きくなった場合や、多くの資料画像を各通信装置で共有した結果、通信可能帯域を大きく上回ってしまった場合などが挙げられる。
【００５３】
通信が切断されたことで、資料画像３１９１が閉じられた場合には（Ｓ３０１：ＹＥＳ）、アイコン種類記憶領域３１３２に記憶されているアイコン種類データが参照されて、第一アイコン６０以外のアイコン６０（つまり、第二〜第四アイコン６０）がすでに作成されているか否かが判断される（Ｓ３０２）。作成されていない場合には（Ｓ３０２：ＮＯ）、第一アイコン６０が作成されて、ディスプレイ３１９に表示される（Ｓ３０３）。このとき、ファイル名記憶領域３１３１に記憶されている資料画像３１９１のファイル名が参照され、ファイル名が第一アイコン６０に記載されて表示される（後述のＳ３０４、Ｓ３０７、Ｓ３０８、Ｓ３１１、Ｓ３１２、Ｓ４０３（図１１参照）、およびＳ４０４の処理において、アイコン６０が作成または更新される場合も同様）。また、Ｓ３０３の処理では、アイコン種類記憶領域３１３２に、ディスプレイ３１９に表示されているアイコン６０が第一アイコン６０であることを示すアイコン種類データが記憶される。
【００５４】
Ｓ３０２の処理において、第一アイコン６０以外のアイコン６０がすでに作成されている場合には（Ｓ３０２：ＹＥＳ）、ディスプレイ３１９に表示されているアイコン６０が第一アイコン６０であることを示すアイコン種類データがアイコン種類記憶領域３１３２に更新記憶されることで、すでに作成されているアイコン６０が第一アイコン６０として更新される（Ｓ３０４）。Ｓ３０３またはＳ３０４の処理が行われると、アイコン作成処理が終了され、Ｓ１０４の処理（図６参照、後述）が行われる。
【００５５】
Ｓ３０３またはＳ３０４の処理が行われると、例えば、図９に示す画面がディスプレイ３１９に表示される。図９において、資料送信装置４と通信装置３との間の通信が切断されているため、資料画像データを受信できず、図５において表示されていた資料画像３１９１が表示されていない。また、通信装置４から送信される拠点画像データも受信できないため、通信装置４の拠点画像３１９２も表示されていない。また、Ｓ３０３またはＳ３０４の処理において、第一アイコン６０が作成され、ディスプレイ３１９の左上部に表示されている。また、第一アイコン６０には、Ｓ２１１の処理（図７参照）において、ファイル名記憶領域３１３１に記憶されたファイル名「ＡＢＣ」が記載されて表示されている。
【００５６】
Ｓ３０１の処理において、通信が切断されていないと判断された場合は（Ｓ３０１：ＮＯ）、Ｓ３０５の処理が行われる。なお、Ｓ３０１の処理で「ＹＥＳ」と判断され、第一アイコン６０が作成（Ｓ３０３およびＳ３０４）された後は、Ｓ３０１の処理が繰り返される度に、「ＮＯ」と判断され、Ｓ３０３およびＳ３０４の処理は連続して繰り返されない（後述するＳ３０５、Ｓ３０９、およびＳ４０１の処理を行う場合において、第二〜第四アイコン６０が作成されている場合も同様）。
【００５７】
Ｓ３０５の処理では、資料送信装置４が資料画像データの送信を停止したか否かが判断される（Ｓ３０５）。資料送信装置４が資料画像データの送信を停止した場合には、資料画像３１９１は、ディスプレイ３１９に表示されない。つまり、Ｓ３０５の処理では、資料画像３１９１が閉じられた原因が、資料送信装置４が資料画像データの送信を停止したことであるか否かが判断されている。
【００５８】
資料送信装置４が資料画像データの送信を停止したことによって、資料画像３１９１が閉じられた場合には（Ｓ３０５：ＹＥＳ）、アイコン種類記憶領域３１３２に記憶されているアイコン種類データが参照されて、第二アイコン６０以外のアイコン６０（つまり、第一、第三、第四アイコン６０）がすでに作成されているか否かが判断される（Ｓ３０６）。作成されていない場合には（Ｓ３０６：ＮＯ）、第二アイコン６０が作成されて、ディスプレイ３１９に表示される（Ｓ３０７）。また、Ｓ３０７の処理では、アイコン種類記憶領域３１３２にディスプレイ３１９に表示されているアイコン６０が第二アイコン６０であることを示すアイコン種類データが記憶される。
【００５９】
Ｓ３０６の処理において、第二アイコン６０以外のアイコン６０がすでに作成されている場合には（Ｓ３０６：ＹＥＳ）、ディスプレイ３１９に表示されているアイコン６０が第二アイコン６０であることを示すアイコン種類データがアイコン種類記憶領域３１３２に更新記憶されることで、すでに作成されているアイコン６０が第二アイコン６０として更新される（Ｓ３０８）。Ｓ３０７またはＳ３０８の処理が行われると、アイコン作成処理が終了され、Ｓ１０４の処理（図６参照、後述）が行われる。
【００６０】
Ｓ３０７またはＳ３０８の処理が行われると、例えば、図１０に示す画面がディスプレイ３１９に表示される。図１０において、資料画像データの送信が停止されているため、図５において表示されていた資料画像３１９１が表示されていない。図９とは異なり、拠点画像データは受信されているため、通信装置４の拠点画像３１９２は表示されている。また、Ｓ３０７またはＳ３０８の処理において、第二アイコン６０が作成され、ディスプレイ３１９の左上部に表示されている。
【００６１】
資料送信装置４が資料画像データの送信を停止していない場合には（Ｓ３０５：ＮＯ）、自装置である通信装置３を操作するユーザの指示に従って資料画像３１９１が閉じられたか否かが判断される（Ｓ３０９）。なお、ユーザは、入力部３１６を操作して、資料画像３１９１を閉じるための指示を、通信装置３に入力する。ユーザの指示に従って資料画像３１９１が閉じられた場合には（Ｓ３０９：ＹＥＳ）、アイコン種類記憶領域３１３２に記憶されているアイコン種類データが参照されて、第三アイコン６０以外のアイコン６０がすでに作成されているか否かが判断される（Ｓ３１０）。作成されていない場合には（Ｓ３１０：ＮＯ）、第三アイコン６０が作成されて、ディスプレイ３１９に表示される（Ｓ３１１）。また、Ｓ３１１の処理では、アイコン種類記憶領域３１３２にディスプレイ３１９に表示されているアイコン６０が第三アイコン６０であることを示すアイコン種類データが記憶される。
【００６２】
Ｓ３１０の処理において、第三アイコン６０以外のアイコン６０が作成されている場合には（Ｓ３１０：ＹＥＳ）、ディスプレイ３１９に表示されているアイコン６０が第三アイコン６０であることを示すアイコン種類データがアイコン種類記憶領域３１３２に更新記憶されることで、すでに作成されているアイコン６０が第三アイコン６０として更新される（Ｓ３１２）。Ｓ３１１またはＳ３１２の処理が行われたら、アイコン作成処理が終了され、Ｓ１０４の処理（図６参照、後述）が行われる。
【００６３】
Ｓ３１１またはＳ３１２の処理が行われると、例えば、図１０と同様の画面がディスプレイ３１９に表示される。図１０において、資料画像３１９１が閉じられているため、図５において表示されていた資料画像３１９１が表示されていない。図９とは異なり、拠点画像データは受信されているため、通信装置４の拠点画像３１９２は表示されている。また、Ｓ３１１およびＳ３１２の処理において、第三アイコン６０が作成され、ディスプレイ３１９の左上部に表示されている。
【００６４】
Ｓ３０９の処理において、資料画像３１９１が閉じられていないと判断された場合には（Ｓ３０９：ＮＯ）、第四アイコン作成処理が行われる（Ｓ３１３）。ここで、図１１を参照して、第四アイコン作成処理について説明する。第四アイコン作成処理は、通信に使用している通信帯域である通信使用帯域が閾値以上である場合に、第四アイコン６０を作成する処理である。第四アイコンは、資料送信装置４から送信される資料画像データのフレームレートの値を変更することについてのユーザによる指示を受け付けるためにディスプレイ３１９に表示されるアイコンである。
【００６５】
図１１に示すように、第四アイコン作成処理では、まず、通信使用帯域が測定され、測定された通信使用帯域が所定の閾値以上であるか否かが判断される（Ｓ４０１）。所定の閾値は、例えば、拠点間の通信において使用可能な通信帯域である通信可能帯域に対して９０％とする。この場合において、例えば、通信可能帯域が６４０ｋｂｐｓである場合、閾値は５７６ｋｂｐｓである。なお、所定の閾値は、ユーザが任意に設定できるようにしてもよい。所定の閾値は、通信使用帯域が所定の閾値以上になれば、資料画像データが正常に送受信できず、ディスプレイ３１９に表示されている資料画像３１９１の画像が乱れて表示される可能性が高まる値に設定されている。なお、通信使用帯域を計測する方法として、公知の種々の計測方法を使用することができる。また、通信可能帯域の取得方法は、公知の種々の方法を使用することができる。例えば、第一メイン処理等を実行中に測定してもよいし、予め設定されＨＤＤ３１４に記憶されていてもよい。
【００６６】
通信使用帯域が所定の閾値以上である場合には（Ｓ４０１：ＹＥＳ）、アイコン種類記憶領域３１３２に記憶されているアイコン種類データが参照されて、第四アイコン６０以外のアイコン６０（つまり、第一〜第三アイコン）がすでに作成されているか否かが判断される（Ｓ４０２）。作成されていない場合には（Ｓ４０２：ＮＯ）、第四アイコン６０が作成されて、ディスプレイ３１９に表示される（Ｓ４０３）。つまり、資料画像３１９１の画像が乱れて表示される可能性が高まった場合に、第四アイコン６０が作成される。また、Ｓ４０３の処理では、アイコン種類記憶領域３１３２にディスプレイ３１９に表示されているアイコン６０が第四アイコン６０であることを示すアイコン種類データが記憶される。
【００６７】
Ｓ４０２の処理において、第四アイコン６０以外のアイコン６０がすでに作成されている場合には（Ｓ４０２：ＹＥＳ）、ディスプレイ３１９に表示されているアイコン６０が第四アイコン６０であることを示すアイコン種類データがアイコン種類記憶領域３１３２に更新記憶されることで、すでに作成されているアイコン６０が第四アイコン６０として更新される（Ｓ４０４）。
【００６８】
Ｓ４０３またはＳ４０４の処理が行われると、例えば、図１２に示す画面がディスプレイ３１９に表示される。図１２において、第四アイコン６０がディスプレイ３１９に左上部に表示されている。通信使用帯域が所定の閾値以上であるが、通信は遮断されていないので、資料画像３１９１が表示されている。しかし、資料画像３１９１の画像が乱れて表示される可能性が高い状態である。
【００６９】
Ｓ４０３またはＳ４０４の処理が行われた場合、または、Ｓ４０１の処理において通信使用帯域が閾値以上ではないと判断された場合には（Ｓ４０１：ＮＯ）、第四アイコン作成処理が終了され、図８に示すアイコン作成処理が終了され、Ｓ１０４の処理（図６参照、後述）が行われる。
【００７０】
図６に示すように、Ｓ１０４の処理では、アイコン作成処理および第四アイコン作成処理（図８および図１１参照）において作成されたアイコン６０（つまり、第一〜第四アイコン６０）が、ユーザによって選択されたか否かが判断される（Ｓ１０４）。なお、ユーザは、入力部３１６を介して、ディスプレイ３１９に表示されたアイコン６０をクリック等することによって、アイコン６０を選択する。アイコン６０が選択されていない場合には（Ｓ１０４：ＮＯ）、後述するＳ１０６の処理が行われる。アイコン６０が選択された場合には（Ｓ１０４：ＹＥＳ）、アイコン実行処理が行われる（Ｓ１０５）。
【００７１】
図１３を参照して、アイコン実行処理について説明する。アイコン実行処理は、第一〜第三アイコン６０がユーザによって選択された場合に、資料画像３１９１の表示を再開するための処理を行い、第四アイコン６０がユーザによって選択された場合に、第四アイコン実行処理を実行する処理である。
【００７２】
図１３に示すように、アイコン実行処理では、アイコン種類記憶領域３１３２に記憶されているアイコン種類データが第一アイコン６０であることを示すデータであるか否かが判断されることで、Ｓ１０４の処理において第一アイコン６０が選択されたか否かが判断される（Ｓ５０１）。第一アイコン６０が選択された場合には（Ｓ５０１：ＹＥＳ）、通信を再開するために、通信の再開を資料送信装置４に対して要求する信号である通信要求信号を、資料送信装置４に送信する（Ｓ５０２）。送信された通信要求信号は、資料送信装置４のＳ７０６の処理（図１５参照、後述）において受信され、Ｓ７０７の処理（図１５参照、後述）によって通信が再開される。つまり、Ｓ５０２の処理を行うことによって、通信を再開することができる。
【００７３】
通信が再開されると、資料送信装置４のＳ２０３の処理（図７参照）において送信されている資料画像データが、通信装置３のＳ２０９の処理（図７参照）において受信される。そして、資料画像３１９１がディスプレイ３１９に表示される（Ｓ２１０、図７参照）。つまり、資料画像３１９１のディスプレイ３１９への表示が再開される。次いで、アイコン６０がディスプレイ３１９から消去される（Ｓ５０９）。これによって、例えば、ディスプレイ３１９の表示は、図９に示す状態から図５に示す状態に変化する。つまり、第一アイコン６０が選択されることによって、資料画像３１９１のディスプレイ３１９への表示が再開される。このように、第一アイコン６０が、ユーザによって選択されると、通信装置３のＣＰＵ８は、通信要求信号を資料送信装置４に送信して通信を再開し（Ｓ５０２）、資料画像３１９１のディスプレイ３１９への表示を再開する（Ｓ２１０）。なお、Ｓ５０９の処理では、アイコン種類記憶領域３１３２に記憶されているアイコン種類データも消去される。
【００７４】
Ｓ５０１の処理において、第一アイコン６０が選択されていないと判断された場合には（Ｓ５０１：ＮＯ）、アイコン種類記憶領域３１３２に記憶されているアイコン種類データが第二アイコン６０であることを示すデータであるか否かが判断されることで、Ｓ１０４の処理において第二アイコン６０が選択されたか否かが判断される（Ｓ５０３）。第二アイコン６０が選択された場合には（Ｓ５０３：ＹＥＳ）、資料送信装置４に資料画像データを送信することを要求する信号である資料送信要求信号が送信される（Ｓ５０４）。Ｓ５０４の処理において送信された資料送信要求信号は、資料送信装置４のＳ７０４の処理（図１５参照、後述）において受信され、Ｓ７０５の処理（図１５参照、後述）において、資料画像３１９１の送信が再開される。
【００７５】
資料画像３１９１が送信が再開されると、資料送信装置４のＳ２０３の処理（図７参照）において資料画像データが送信され、通信装置３のＳ２０９の処理（図７参照）において受信される。そして、資料画像３１９１がディスプレイ３１９に表示される（Ｓ２１０、図７参照）。つまり、資料画像３１９１のディスプレイ３１９への表示が再開される。次いで、アイコン６０がディスプレイ３１９から消去される（Ｓ５０９）。これによって、例えば、ディスプレイ３１９の表示は、図１０に示す状態から図５に示す状態に変化する。つまり、第二アイコン６０が選択されることによって、資料画像３１９１のディスプレイ３１９への表示が再開される。このように、第二アイコン６０が、ユーザによって選択されると、通信装置３のＣＰＵ８は、資料送信要求信号を資料送信装置４に送信し（Ｓ５０４）、要求に応じて資料送信装置４のから送信される資料画像データに基づいて、資料画像３１９１のディスプレイ３１９への表示を再開する（Ｓ２１０）。
【００７６】
Ｓ５０３の処理において、第二アイコン６０が選択されていないと判断された場合には（Ｓ５０３：ＮＯ）、アイコン種類記憶領域３１３２に記憶されているアイコン種類データが第三アイコン６０であることを示すデータであるか否かが判断されることで、Ｓ１０４の処理において第三アイコン６０が選択されたか否かが判断される（Ｓ５０５）。第三アイコン６０が選択された場合には（Ｓ５０５：ＹＥＳ）、資料画像３１９１のディスプレイ３１９への表示が再開される（Ｓ５０６）。
【００７７】
Ｓ５０６の処理では、資料画像３１９１のディスプレイ３１９への表示を再開するために、例えば、資料画像３１９１を表示させるためのソフトウェア等を起動させる。つまり、資料画像３１９１をディスプレイ３１９に表示させる状態に設定される。これによって、Ｓ２０８の処理（図７参照）において、資料画像３１９１をディスプレイ３１９に表示させると判断される（Ｓ２０８：ＹＥＳ）。そして、資料送信装置４のＳ２０３の処理において送信される資料画像データが受信され（Ｓ２０９：ＹＥＳ）、資料画像３１９１のディスプレイ３１９への表示が再開される（Ｓ２１０、Ｓ５０６）。次いで、アイコン６０がディスプレイ３１９から消去される（Ｓ５０９）。これによって、例えば、ディスプレイ３１９の表示は、図１０に示す状態から図５に示す状態に変化する。つまり、第三アイコン６０が選択されることによって、資料画像３１９１のディスプレイ３１９への表示が再開される。このように、第三アイコン６０が、ユーザによって選択されると、通信装置３のＣＰＵ８は、資料送信装置４から送信されている資料画像データに基づく資料画像３１９１のディスプレイ３１９への表示を再開する。
【００７８】
Ｓ５０５の処理において、第三アイコン６０が選択されていないと判断された場合には（Ｓ５０５：ＮＯ）、アイコン種類記憶領域３１３２に記憶されているアイコン種類データが第四アイコン６０であることを示すデータであるか否かが判断されることで、Ｓ１０４の処理において第四アイコン６０が選択されたか否かが判断される（Ｓ５０７）。第四アイコン６０が選択された場合には（Ｓ５０７：ＹＥＳ）、第四アイコン実行処理が行われる（Ｓ５０８）。
【００７９】
図１４を参照して、第四アイコン実行処理について説明する。第四アイコン実行処理は、通信使用帯域が所定の閾値より小さくなるように、資料送信装置４から送信される資料画像データのフレームレートを変更する指示を、資料送信装置４に対して送信する処理である。
【００８０】
図１４に示す第四アイコン実行処理では、資料送信装置４のＳ２０３の処理において送信されている資料画像データのフレームレートが、最小の設定であるか否かが判断される（Ｓ６０１）。本実施形態では、フレームレートは、段階的に設定可能であるとする。設定できるフレームレートは、例示として、１５ｆｐｓ、１０ｆｐｓ、５ｆｐｓ、および１ｆｐｓであるとする。また、初期の設定状態は、１５ｆｐｓであるとする。Ｓ６０１の処理における最小の設定とは、１ｆｐｓである。
【００８１】
フレームレートが最小の設定ではない場合には（Ｓ６０１：ＮＯ）、資料画像データのデータ量が少なくなくなるように、フレームレートの値を変更する指示であるフレームレート変更指示信号を資料送信装置４に対して送信する（Ｓ６０２）。本実施形態では、フレームレート変更指示信号は、資料画像データのフレームレートを１段階下げるように指示する信号であるとする。
【００８２】
Ｓ６０２の処理において送信されたフレームレート変更指示信号は、資料送信装置４のＳ７０８の処理（図１５参照）において受信され、Ｓ７０９の処理において、資料画像データのフレームレートが１段階下げられる。これによって、資料送信装置４のＳ２０３の処理において送信される資料画像データのフレームレートが、例えば、１５ｆｐｓから１０ｆｐｓに下げられ、データ量が減少する。そして、フレームレートが下げられた資料画像データが通信装置３で受信され（Ｓ２０９：ＹＥＳ）、資料画像３１９１が表示される（Ｓ２１０）。
【００８３】
Ｓ６０２の処理が行われると、Ｓ４０１の処理（図１１参照）と同様に、通信使用帯域が測定され、測定された通信使用帯域が所定の閾値以上であるか否かが判断される（Ｓ６０３）。つまり、資料送信装置４から送信されるフレームレートが下げられた後における通信使用帯域が、所定の閾値以上であるかが判断される。通信使用帯域が所定の閾値以上である場合には（Ｓ６０３：ＹＥＳ）、Ｓ６０１の処理に戻り、処理が繰り返される。つまり、通信使用帯域が閾値より小さくなるまで、フレームレート変更指示信号が送信され（Ｓ６０２）、資料送信装置４から送信される資料画像データのフレームレートが下げられる（Ｓ７０９、図１５参照）。これによって、データ量が減り、通信使用帯域が閾値より小さくなる。つまり、資料画像３１９１の画像が乱れてディスプレイ３１９に表示されることを防止することができる。
【００８４】
通信使用帯域が閾値以上でない場合には（Ｓ６０３：ＮＯ）、第四アイコン実行処理が終了される。なお、Ｓ６０１の処理において、フレームレートが最小であると判断された場合にも（Ｓ６０１：ＹＥＳ）、第四アイコン実行処理が終了される。第四アイコン実行処理が終了されると、図１３に示すように、アイコン６０がディスプレイ３１９から消去される（Ｓ５０９）。
【００８５】
Ｓ５０９の処理において、第一〜第四アイコン６０がディスプレイ３１９から消去されると、アイコン実行処理が終了される。なお、Ｓ５０７の処理において、第四アイコンを選択していないと判断された場合にも（Ｓ５０７：ＮＯ）、アイコン実行処理が終了される。アイコン実行処理が終了されると、図６に示すように、入力部３１６を介して、ユーザによってテレビ会議の終了の指示が入力されたか否かが判断される（Ｓ１０６）。終了の指示が入力されていない場合には（Ｓ１０６：ＮＯ）、Ｓ１０３の処理に戻り、処理が繰り返される。終了の指示が入力された場合には（Ｓ１０６：ＹＥＳ）、画像音声処理（図７参照）が終了される（Ｓ１０７）。次いで、入力部３１６を介して、ユーザによって電源オフの指示が入力されたか否かが判断される（Ｓ１０８）。電源オフの指示が入力された場合には（Ｓ１０８：ＹＥＳ）、第一メイン処理が終了される。
【００８６】
図１５に示すフローチャートを参照して、第二メイン処理について説明する。第二メイン処理は、資料送信装置である通信装置４におけるＰＣ３１のＣＰＵ８による処理である。
【００８７】
図１５に示すように、第二メイン処理では、まず、自装置とは異なる通信装置３，５とネットワーク２を介して接続されたか否かが判断される（Ｓ７０１）。接続されていない場合には（Ｓ７０１：ＮＯ）、入力部３１６を介して、ユーザによって電源オフの指示が入力されたか否かが判断される（Ｓ７１２）。電源オフの指示が入力されていない場合には（Ｓ７１２：ＮＯ）、Ｓ７０１に戻り、処理が繰り返される。Ｓ７０１の処理において、自装置とは異なる通信装置３，５と接続された場合には（Ｓ７０１：ＹＥＳ）、画像音声処理（図７参照）が開始される（Ｓ７０２）。これによって、自装置とは異なる通信装置３，５と通信装置４との間の拠点画像データと音声データの送受信が行われる。また、自装置とは異なる通信装置３，５に対して、資料画像データの送信が行われる（Ｓ２０３、図７参照）。
【００８８】
次いで、自装置とは異なる通信装置３，５に送信する資料画像３１９１を、ユーザの指示に従って閉じたか否かが判断されることによって、Ｓ２０３の処理による資料画像データの送信が停止されたか否かが判断される（Ｓ７０３）。資料画像データの送信が停止された場合には（Ｓ７０３：ＹＥＳ）、自装置とは異なる通信装置３，５のＳ５０４の処理（図１３参照）において送信される資料送信要求信号が受信されたか否かが判断される（Ｓ７０４）。資料送信要求信号が受信されていない場合には、後述するＳ７０６の処理が行われる。資料送信要求信号が受信された場合には（Ｓ７０４：ＹＥＳ）、資料画像３１９１が再度開かれ、資料画像データの送信が再開される（Ｓ７０５）。これによって、資料送信装置４から通信装置３，５への資料画像データの送信（Ｓ２０３、図７参照）が再開される（Ｓ７０５）。
【００８９】
次いで、自装置とは異なる通信装置３，５のＳ５０２の処理（図１３参照）において送信される通信要求信号が受信されたか否かが判断される（Ｓ７０６）。なお、Ｓ７０３の処理において、資料画像データの送信が停止されていないと判断された場合にも（Ｓ７０３：ＮＯ）、Ｓ７０６の処理が行われる。通信要求信号が受信された場合には（Ｓ７０６：ＹＥＳ）、通信要求信号を送信した通信装置３，５との通信を再開する（Ｓ７０７）。つまり、一旦切断された通信が再開される。これによって、Ｓ２０３の処理（図７参照）において送信されている資料画像データが、通信が再開された通信装置３，５において受信可能となる（Ｓ２０９、図７参照）。
【００９０】
次いで、自装置とは異なる通信装置３，５のＳ６０２の処理（図１４参照）において送信されるフレームレート変更指示信号が受信されたか否かが判断される（Ｓ７０８）。なお、Ｓ７０６の処理において、通信要求信号が受信されていないと判断された場合にも（Ｓ７０６：ＮＯ）、Ｓ７０８の処理が行われる。フレームレート変更指示信号が受信された場合には（Ｓ７０８：ＹＥＳ）、フレームレート変更指示信号に基づいて、フレームレートを下げる（Ｓ７０９）。例えば、Ｓ２０３の処理において、１５ｆｐｓで資料画像データを送信していれば、１段階下げた１０ｆｐｓで資料画像データを送信する。
【００９１】
次いで、入力部３１６を介して、ユーザによってテレビ会議の終了の指示が入力されたか否かが判断される（Ｓ７１０）。なお、Ｓ７０８の処理において、フレームレート変更指示信号が受信されていないと判断された場合にも（Ｓ７０８：ＮＯ）、Ｓ７１０の処理が実行される。終了の指示が入力されていない場合には（Ｓ７１０：ＮＯ）、Ｓ７０３に戻り、処理が繰り返される。終了の指示が入力された場合には（Ｓ７１０：ＹＥＳ）、画像音声処理（図７参照）が終了される（Ｓ７１１）、次いで、入力部３１６を介して、ユーザによって電源オフの指示が入力されたか否かが判断される（Ｓ７１２）。電源オフの指示が入力された場合には（Ｓ７１２：ＹＥＳ）、第二メイン処理が終了される。
【００９２】
以上説明したように、本実施形態における処理が行われる。資料画像３１９１が閉じられた場合には、図８のＳ３０３、Ｓ３０７、およびＳ３１１の処理において、第一〜第三アイコン６０が自動で作成される。そして、ユーザによって第一〜第三アイコン６０が選択された場合に、図１３のＳ５０２、Ｓ５０４、およびＳ５０６の処理が行われて、資料画像３１９１のディスプレイ３１９への表示が自動で再開される。このため、ユーザは、第一〜第三アイコン６０を選択するだけで、容易に、資料画像３１９１のディスプレイ３１９への表示を再開することができる。
【００９３】
また、図８のＳ３０１、Ｓ３０５、およびＳ３０９の処理において、資料画像３１９１が閉じられた原因が特定され、原因に応じて、第一〜第三アイコン６０が作成されている（図８のＳ３０３、Ｓ３０７、およびＳ３１１参照）。そして、第一〜第三アイコン６０の種類に基づいて、図１３のＳ５０２、Ｓ５０４、およびＳ５０６の処理が行われて、資料画像３１９１のディスプレイ３１９への表示が再開される。言い換えると、資料画像３１９１が閉じられた原因に基づいて、図１３のＳ５０２、Ｓ５０４、およびＳ５０６の処理が行われて、資料画像３１９１のディスプレイ３１９への表示が再開される。このため、ユーザが、資料画像３１９１が閉じられた原因特定して、適切な処理を指示する必要がない。よって、ユーザに利便性が向上する。
【００９４】
また、図８のＳ３０４、Ｓ３０８、およびＳ３１２の処理において、アイコン６０の更新が行われている。Ｓ３０４、Ｓ３０８、およびＳ３１２の処理が行われる場合には、一旦他の原因によってアイコン６０が作成され、その原因が変化した場合である。例えば、自装置である通信装置３において資料画像３１９１を閉じたことによって（Ｓ３０９：ＹＥＳ）、第三アイコン６０が作成された後（Ｓ３１１）、通信装置３と資料送信装置４との間の通信が切断された場合（Ｓ３０１：ＹＥＳ）、第一アイコン６０以外のアイコン６０が作成されていると判断され（Ｓ３０２：ＹＥＳ）、ディスプレイ３１９に表示されているアイコン６０が第一アイコン６０に更新される（Ｓ３０４）。そして、ユーザによって第一アイコン６０が選択されると（図６のＳ１０４：ＹＥＳ、図１３のＳ５０１：ＹＥＳ）、通信要求信号が送信され（Ｓ５０２）、資料送信装置４に受信され（図１５のＳ７０６：ＹＥＳ）、通信が再開されて資料画像データの送信が再開される（Ｓ７０７）。これによって、通信装置３では、資料画像３１９１のディスプレイ３１９への表示が再開される（図７のＳ２０９：ＹＥＳ、Ｓ２１０）。
【００９５】
このように、原因が変化した場合でも、ユーザがアイコン６０を選択すれば、変化した後の原因に基づいて、図１３のＳ５０２、Ｓ５０４、およびＳ５０６の処理が行われて、資料画像３１９１のディスプレイ３１９への表示が再開される。このため、ユーザは、資料画像３１９１が閉じられた原因を特定して、適切な処理を指示する必要がない。よってユーザの利便性が向上する。
【００９６】
また、図１３のＳ５０２の処理が行われる場合とは、自装置である通信装置３と資料送信装置４との間の通信が切断され（図８のＳ３０１：ＹＥＳ）、第一アイコン６０が作成され（図８のＳ３０３またはＳ３０４）、ユーザによって第一アイコン６０が選択された場合である（図６のＳ１０４：ＹＥＳ、図１３のＳ５０１：ＹＥＳ）。つまり、資料画像３１９１が閉じられた原因が、資料送信装置４と自装置である通信装置３との間の通信が切断されたことである場合に、ユーザが第一アイコン６０を選択すれば、Ｓ５０２の処理が行われ、自動で通信が再開されて、資料画像３１９１のディスプレイ３１９への表示が再開される。このため、ユーザは、資料画像３１９１が閉じられた原因が、通信が切断されたことであることを特定して、通信を再開して、資料画像３１９１の表示を再開するという指示等を行う必要がない。また、通信を再開することを、資料送信装置４のユーザに対して口頭で依頼等を行う必要がない。このため、ユーザの利便性が向上する。
【００９７】
また、図１３のＳ５０４の処理が行われる場合とは、資料送信装置４が資料画像データを送信することを停止し（図８のＳ３０５：ＹＥＳ）、第二アイコン６０が作成され（Ｓ３０７またはＳ３０８）、ユーザによって第二アイコン６０が選択された場合である（図６のＳ１０４：ＹＥＳ、図１３のＳ５０３：ＹＥＳ）。つまり、資料画像３１９１が閉じられた原因が、資料画像データの送信が停止されたことである場合に、ユーザが第二アイコン６０を選択すれば、自動で、Ｓ５０４の処理が行われ、資料送信装置４からの資料画像データの送信が再開される（図１５のＳ７０５）。そして、資料画像３１９１のディスプレイ３１９への表示が再開される。このため、ユーザは、資料画像３１９１が閉じられた原因が、資料送信装置４が資料画像データの送信を停止したことであることを特定して、資料送信装置４に資料画像データの送信を要求して、資料画像３１９１の表示を再開するという指示等を行う必要がない。また、資料画像データを再送信することを資料送信装置４のユーザに対して、口頭で依頼する必要がない。このため、ユーザの利便性が向上する。
【００９８】
また、図１３のＳ５０６の処理が行われる場合とは、自装置を操作するユーザの指示に従って資料画像３１９１のディスプレイ３１９への表示が閉じられ（図８のＳ３０９：ＹＥＳ）、第三アイコンが作成され（図８のＳ３１１またはＳ３１２）、ユーザによって第三アイコン６０が選択された場合である（図６のＳ１０４：ＹＥＳ、図１３の５０５：ＹＥＳ）。つまり、資料画像３１９１が閉じられた原因が、自装置を操作するユーザの指示に従って資料画像３１９１の表示を閉じたことである場合に、ユーザが第三アイコン６０を選択すれば、自動で、資料画像３１９１の表示を再開することができる（Ｓ５０６）。このため、ユーザの利便性が向上する。
【００９９】
また、図１４のＳ６０２の処理が行われる場合とは、自装置と資料送信装置４との間の通信使用帯域が閾値以上であると判断され（図１１のＳ４０１：ＹＥＳ）、第四アイコン６０が作成され（図１１のＳ４０３またはＳ４０４）、ユーザによって第四アイコン６０が選択された場合である（図６のＳ１０４：ＹＥＳ、図１３のＳ５０７：ＹＥＳ）。つまり、通信使用帯域が閾値以上である場合に、ユーザが第四アイコンを選択することによって、資料画像データのデータ量を減らすことができる。これによって、資料画像データの受信のために使用している通信帯域を低減することができる。よって、通信使用帯域が大きくなることによる資料画像３１９１の表示の乱れ等を防止することができる。
【０１００】
また、図７のＳ２０９の処理において、資料画像データに含まれるファイル名を示すデータを受信して、Ｓ２１１の処理において、ファイル名をファイル名記憶領域３１３１に記憶することができる。このため、記憶したファイル名を参照して、第一〜第四アイコン６０にファイル名を記載することができる。
【０１０１】
上記実施形態において、通信装置３，４，５およびＰＣ３１が本発明の「通信装置」に相当する。ディスプレイ３１９が本発明の「表示画面」に相当し、第一〜第三アイコン６０が本発明の「再開表示物」に相当する。図８のＳ３０３、Ｓ３０４、Ｓ３０７、Ｓ３０８、Ｓ３１１、およびＳ３１２の処理を行うＣＰＵ８が、本発明の「再開表示物作成手段」に相当し、図１３のＳ５０２、Ｓ５０４、およびＳ５０６の処理を行って、図７のＳ２１０における資料画像３１９１の表示を再開する処理を行うＣＰＵ８が、本発明の「表示再開手段」に相当する。図８のＳ３０１、Ｓ３０５、およびＳ３０９の処理を行うＣＰＵ８が、本発明の「原因特定手段」に相当する。
【０１０２】
図１１のＳ４０１の処理において、通信使用帯域を検出する処理を行うＣＰＵ８が本発明の「帯域検出手段」に相当し、図１１のＳ４０１の処理において、通信使用帯域が所定の閾値以上であるか否かを判断するＣＰＵ８が本発明の「帯域判断手段」に相当する。フレームレートが本発明の「パラメータ」に相当し、第四アイコン６０が本発明の「第一パラメータ表示物」に相当する。図１１のＳ４０３およびＳ４０４の処理を行うＣＰＵ８が本発明の「第一パラメータ表示物作成手段」に相当し、図１４のＳ６０２の処理を行うＣＰＵ８が本発明の「第一指示手段」に相当する。図７のＳ２１０の処理を行うＣＰＵ８が本発明の「第一表示制御手段」に相当する。
【０１０３】
図７のＳ２０９の処理において、資料画像データに含まれるファイル名を示すデータを受信するＣＰＵ８が本発明の「ファイル名受信手段」に相当し、ファイル名記憶領域３１３１が本発明の「記憶手段」に相当する。図７のＳ２１１の処理を行うＣＰＵ８が本発明の「記憶制御手段」に相当し、テレビ会議システム１が本発明の「通信システム」に相当する。図８のＳ３０３、Ｓ３０４、Ｓ３０７、Ｓ３０８、Ｓ３１１、およびＳ３１２の処理が、本発明の「アイコン作成ステップ」に相当し、図１３のＳ５０２、Ｓ５０４、およびＳ５０６の処理を行って、Ｓ２１０における資料画像３１９１の表示を再開する処理が、本発明の「表示再開ステップ」に相当する。
【０１０４】
なお、本発明は上記の実施形態に限定されるものではなく、種々の変更が可能である。例えば、図１４のＳ６０１およびＳ６０２の処理において、フレームレートを小さくすることによって、データ量を減少させるように、フレームレート変更指示信号が送信されていたが、これに限定されない。例えば、フレームレートではなく、資料画像データの解像度や表示サイズ等を小さくすることによってデータ量を減少させるように、資料送信装置４に指示信号を送信してもよい。このようにしても、資料送信装置４から送信される資料画像データのデータ量が減り、資料画像３１９１の表示の乱れ等を防止することができる。また、資料画像データのデータ量を減少させるのではなく、拠点画像データのデータ量を減少させるように、拠点画像データのフレームレート、解像度、表示サイズ等を小さくするようにしてもよい。このようにしても、資料送信装置４から送信される拠点画像データのデータ量が減り、拠点画像３１９２，３１９３および資料画像３１９１の表示の乱れ等を防止することができる。
【０１０５】
また、図１４のＳ６０２の処理において、フレームレートを１段階下げるようにフレームレート変更指示信号を送信していたが、これに限定されない。例えば、フレームレートを任意の数値に変更するようにフレームレート変更指示信号を送信してもよい。
【０１０６】
また、第一〜第四アイコン６０は、外観上、分けて記載していないが、これに限定されない。例えば、第一〜第四アイコン６０のそれぞれについて、形状や色などを変更して、他のアイコンと区別可能にディスプレイ３１９に表示できるようにしてもよい。
【０１０７】
また、図８のＳ３０４、Ｓ３０８、Ｓ３１２、および図１１のＳ４０４の処理において、アイコン６０の更新が行われているが、これに限定されない。例えば、アイコン６０を更新するのではなく、すでに作成されているアイコン６０に追加して、新たなアイコン６０をディスプレイ３１９に表示してもよい。つまり、資料画像３１９１が閉じられた原因毎にアイコン６０を作成してもよい。
【０１０８】
また、Ｓ３０３、Ｓ３０４、Ｓ３０７、Ｓ３０８、Ｓ３１１、Ｓ３１２、Ｓ４０３、およびＳ４０４の処理において、第一〜第四アイコン６０が作成および更新されているが、これに限定されない。例えば、アイコン６０の代わりに、マウスの右ボタンを押下することによってディスプレイ３１９に表示されるメニューボタンを作成および更新してもよい。また、ディスプレイ３１９に表示されるテレビ会議用のアプリケーションの画面上に、入力部３１６によって選択することができるボタンを作成および更新してもよい。また、ショートカットメニューなどが、テレビ会議用のアプリケーションのメニュー項目に作成および更新されるようにしてもよい。このように第一〜第四アイコンの代わりに、ユーザからの指示を受け付けるための種々の表示物を作成および更新してもよい。
【０１０９】
また、図１１に示す第四アイコン作成処理、および図１４に示す第四アイコン実行処理において、フレームレートに基づいて、資料画像３１９１の表示の乱れを防止するように処理が行われたが、これに限定されない。例えば、ＣＰＵ８の負荷量に基づいて、資料画像３１９１の表示の乱れを防止してもよい。以下、図１６および図１７を参照して具体的に説明する。
【０１１０】
図１６は、図１１に示す第四アイコン作成処理の変形例であり、図１７は、図１４に示す第四アイコン実行処理の変形例である。図１６および図１７において、図１１および図１４と同様の処理は、同じ符号で示し、詳細の説明は省略する。
【０１１１】
図１６に示すように、第四アイコン作成処理の変形例では、まず、ＣＰＵ８の処理の負荷量が測定され、測定された処理の負荷量が所定の閾値以上であるか否かが判断される（Ｓ８０１）。所定の閾値は、例えば、９５％である。なお、ＣＰＵ８が処理可能な負荷量の最大値を１００％としている。所定の閾値は、負荷量が所定の閾値以上になれば、資料画像データの処理に遅れ等が発生し、ディスプレイ３１９に表示されている資料画像３１９１の画像が乱れて表示される可能性が高まる値に設定されている。なお、ＣＰＵ８の負荷量を計測する方法として、公知の種々の計測方法を使用することができる。
【０１１２】
負荷量が所定の閾値以上である場合には（Ｓ８０１：ＹＥＳ）、Ｓ４０２の処理が行われる。第四アイコン６０以外のアイコン６０が作成されていない場合には（Ｓ４０２：ＮＯ）第四アイコン６０が作成されて、ディスプレイ３１９に表示される（Ｓ４０３）。作成いる場合には（Ｓ４０２：ＹＥＳ）、すでに作成されているアイコン６０が第四アイコンとして更新される（Ｓ４０４）。つまり、資料画像３１９１の画像が乱れて表示される可能性が高まった場合に、第四アイコン６０が作成される。Ｓ４０３またはＳ４０４の処理が行われた場合、または、Ｓ８０１の処理においてＣＰＵ８の負荷量が所定の閾値以上ではないと判断された場合には（Ｓ８０１：ＮＯ）、第四アイコン作成処理が終了され、図８に示すアイコン作成処理が終了され、Ｓ１０４の処理（図６参照）が行われる。
【０１１３】
次に、図１７について説明する。図１７に示すように、第四アイコン実行処理の変形例では、資料送信装置４のＳ２０３の処理において送信されている資料画像データのフレームレートが最小の設定であるか否かが判断される（Ｓ６０１）。フレームレートが最小の設定ではない場合には（Ｓ６０１：ＮＯ）、フレームレート変更指示信号が送信される（Ｓ６０２）。フレームレート変更指示信号が送信されると、ＣＰＵ８の負荷量が所定の閾値以上であるか否かが判断される（Ｓ９０１）。
【０１１４】
負荷量が所定の閾値以上である場合には（Ｓ９０１：ＹＥＳ）、Ｓ６０１に戻り、処理が繰り返される。つまり、負荷量が所定の閾値より小さくなるまで、フレームレート変更指示信号が送信され（Ｓ６０２）、資料送信装置４から送信される資料画像データのフレームレートが下げられる（Ｓ７０９、図１５参照）。これによって、データ量が減少し、ＣＰＵ８の負荷量が閾値より小さくなる。つまり、資料画像３１９１の画像が乱れて、ディスプレイ３１９に表示されることを防止することができる。
【０１１５】
ＣＰＵ８の負荷量が所定の閾値以上ではない場合には（Ｓ９０１：ＮＯ）、第四アイコン実行処理が終了される。なお、Ｓ６０１の処理において、フレームレートが最小であると判断された場合にも（Ｓ６０１：ＹＥＳ）、第四アイコン実行処理が終了される。
【０１１６】
以上説明したように、変形例における処理が行われる。変形例において、図１７のＳ６０２の処理が行われる場合とは、ＣＰＵ８の負荷量が閾値以上であると判断され（図１６のＳ８０１：ＹＥＳ）、第四アイコン６０が作成され（図１６のＳ４０３またはＳ４０４）、ユーザによって第四アイコン６０が選択された場合である（図６のＳ１０４：ＹＥＳ、図１３のＳ５０７：ＹＥＳ）。つまり、ＣＰＵ８の負荷量が閾値以上である場合に、ユーザが第四アイコンを選択することによって、資料画像データのデータ量を減らすことができる。これによって、資料画像データを処理するために必要なＣＰＵ８の負荷量を低減することができる。よって、ＣＰＵ８の負荷量が大きいことによる資料画像３１９１の表示の乱れ等を防止することができる。
【０１１７】
上記変形例において、図１６のＳ８０１の処理においてＣＰＵ８の負荷量を検出する処理を行うＣＰＵ８が本発明の「負荷量検出手段」に相当し、図１６のＳ８０１の処理において、負荷量が所定の閾値以上であるか否かを判断するＣＰＵ８が本発明の「負荷量判断手段」に相当する。図１６のＳ４０３およびＳ４０４の処理で作成される第四アイコン６０が本発明の「第二パラメータ表示物」に相当する。図１６のＳ４０３およびＳ４０４の処理を行うＣＰＵ８が本発明の「第二パラメータ表示物作成手段」に相当し、図１７のＳ６０２の処理を行うＣＰＵ８が本発明の「第二指示手段」に相当する。図７のＳ２１０の処理を行うＣＰＵ８が本発明の「第二表示制御手段」に相当する。
【符号の説明】
【０１１８】
１    テレビ会議システム
２    ネットワーク
３，４，５    通信装置
３１    パーソナルコンピュータ
３４    入出力装置
６０    第一〜第四アイコン
３１６    入力部
３１９    ディスプレイ
３１３１    ファイル名記憶領域
３１３２    アイコン種類記憶領域
３１４１    プログラム記憶領域
３１９１    資料画像
【図１】
2012053642.tif 000003
【図２】
2012053642.tif 000004
【図３】
2012053642.tif 000005
【図４】
2012053642.tif 000006
【図５】
2012053642.tif 000007
【図６】
2012053642.tif 000008
【図７】
2012053642.tif 000009
【図８】
2012053642.tif 000010
【図９】
2012053642.tif 000011
【図１０】
2012053642.tif 000012
【図１１】
2012053642.tif 000013
【図１２】
2012053642.tif 000014
【図１３】
2012053642.tif 000015
【図１４】
2012053642.tif 000016
【図１５】
2012053642.tif 000017
【図１６】
2012053642.tif 000018
【図１７】
2012053642.tif 000019